(57)【特許請求の範囲】
【請求項１】
個別のチャネル情報がそれぞれ割り当てられ、生体から生体情報を収集して送信する複数の送信機と、
受信機から出力された生体情報を受信し、受信した生体情報の表示を行うモニタリング装置と、
モニタリング装置が受信すべき生体情報を収集する送信機のチャネル情報を受信機に設定する設定手段と、
チャネル情報の設定を受けて、設定されたチャネル情報が割り当てられた送信機により収集された生体情報を受信し、この生体情報を出力する受信機と、
受信機に設定されたチャネル情報を収集し、同一のチャネル情報の設定を検出する検出手段と、
を具備することを特徴とする生体情報モニタリングシステム。
【請求項２】
検出手段により同一のチャネル情報の設定が検出された場合に、重複設定を報知する報知手段と、
を具備することを特徴とする請求項１に記載の生体情報モニタリングシステム。
【請求項３】
設定手段は、モニタリング装置に設けられ、
検出手段及び報知手段は、受信機に設けられ、
報知手段の報知を受けて警報出力を行う警報出力手段が、モニタリング装置に設けられていることを特徴とする請求項２に記載の生体情報モニタリングシステム。
【請求項４】
設定手段は、モニタリング装置に設けられ、
検出手段及び報知手段は、ネットワークに接続されたコンピュータ機能を有する装置に設けられ、
報知手段の報知を受けて警報出力を行う警報出力手段が、モニタリング装置に設けられていることを特徴とする請求項２に記載の生体情報モニタリングシステム。
【請求項５】
検出手段により同一のチャネル情報の設定が検出された場合に、検出を有効または無効と設定する強制設定手段が備えることを特徴とする請求項１乃至４のいずれか１項に記載の生体情報モニタリングシステム。
【発明の詳細な説明】
【技術分野】
【０００１】
この発明は、個別のチャネル情報が割り当てられ、生体から生体情報を収集して送信する送信機を複数用いて構成する生体情報モニタリングシステムに関するものである。
【背景技術】
【０００２】
従来、生体情報モニタリングシステムにあっては、チャネル情報の設定を受けて、設定されたチャネル情報が割り当てられた送信機により収集された生体情報を受信し、この生体情報をネットワークを介して送信する受信機が複数備えられており、この受信機に対するチャネル情報の設定により、患者からの生体情報をモニタリング装置であるセントラルモニタに収集するように構成されている。
【０００３】
従って、モニタリング対象と異なる患者に配置された送信機のチャネル情報を上記受信機に設定すると、所要患者の生体情報をモニタリングできなかったり、患者の取り違いを生じるたりするおそれがある。これに対応する機能は、セントラルモニタにおいて、患者とチャネル情報の対応が適切であるかについて行っているだけであり、不十分なものであった。
【０００４】
上記に対し、所望の画像を得るために複数の画像受信機から得られる複数画像を１画面にサムネイル画像のように並べて表示し、所要の画像を当該画面において画像選択を行うことにより得るようにしたシステムが知られている（特許文献１参照）。しかしながら、このシステムでは、入力ミスなく所望の画像や生体情報を得ることができるものの、チャネルの重複設定には対応できない。
【０００５】
また、テレメータシステムにおいてユーザＩＤの誤設定を回避するために、対向送信する２つの無線機において、初期のユーザＩＤが無線機固有の無線識別番号と同一に設定されているものが知られている。これによれば、初期においてユーザＩＤの誤設定を回避することが可能であるが、日時の経過と共に患者が変わってモニタリング対象が変更となり、その都度チャネル情報の設定変更が必要となる生体情報モニタリングシステムにおいては誤設定を回避することはできない。
【先行技術文献】
【特許文献】
【０００６】
【特許文献１】特開２０１０−１１２８１号公報
【特許文献２】特開２００５−２２９４２６号公報
【発明の概要】
【発明が解決しようとする課題】
【０００７】
本発明は上記のような生体情報モニタリングシステムにおける現状に鑑みてなされたもので、その目的は、チャネル情報の重複設定が生じた場合にこれを検出することにより、所要患者の生体情報をモニタリングできなかったり、患者の取り違いを生じるたりするという不具合を的確に防止することが可能な生体情報モニタリングシステムを提供することである。
【課題を解決するための手段】
【０００８】
本発明に係る生体情報モニタリングシステムは、個別のチャネル情報がそれぞれ割り当てられ、生体から生体情報を収集して送信する複数の送信機と、受信機から出力された生体情報を受信し、受信した生体情報の表示を行うモニタリング装置と、モニタリング装置が受信すべき生体情報を収集する送信機のチャネル情報を受信機に設定する設定手段と、チャネル情報の設定を受けて、設定されたチャネル情報が割り当てられた送信機により収集された生体情報を受信し、この生体情報を出力する受信機と、受信機に設定されたチャネル情報を収集し、同一のチャネル情報の設定を検出する検出手段と、を具備することを特徴とする。
【０００９】
本発明に係る生体情報モニタリングシステムでは、更に検出手段により同一のチャネル情報の設定が検出された場合に、重複設定を報知する報知手段と、を具備することを特徴とする。
【００１０】
本発明に係る生体情報モニタリングシステムでは、設定手段は、モニタリング装置に設けられ、検出手段及び報知手段は、受信機に設けられ、報知手段の報知を受けて警報出力を行う警報出力手段がモニタリング装置に設けられていることを特徴とする。
【００１１】
本発明に係る生体情報モニタリングシステムでは、設定手段は、モニタリング装置に設けられ、検出手段及び報知手段は、ネットワークに接続されたコンピュータ機能を有する装置に設けられ、報知手段の報知を受けて警報出力を行う警報出力手段が、モニタリング装置に設けられていることを特徴とする。
【００１２】
本発明に係る生体情報モニタリングシステムは、検出手段により同一のチャネル情報の設定が検出された場合に、検出を有効または無効と設定する強制設定手段がモニタリング装置に設けられていることを特徴とする。
【発明の効果】
【００１３】
本発明に係る生体情報モニタリングシステムは、受信機に設定されたチャネル情報を収集し、同一のチャネル情報の設定を検出し、同一のチャネル情報の設定が検出された場合に、重複設定を報知するので、チャネル情報の重複設定が生じた場合にこれを検出し、報知することできる。
【００１４】
本発明に係る生体情報モニタリングシステムは、検出手段により同一のチャネル情報の設定が検出された場合に、検出を有効または無効と設定する強制設定手段を備えるので、複数のモニタリング装置が同一チャネルの送信機によって収集された生体情報を得てモニタリングすることができ、便利にシステムを運用することができる。
【図面の簡単な説明】
【００１５】
【図１】本発明に係る生体情報モニタリングシステムにおける実施形態の構成を示すブロック図。
【図２】本発明に係る生体情報モニタリングシステムにおける受信機の実施形態の構成を示すブロック図。
【図３】本発明に係る生体情報モニタリングシステムにおける受信機の実施形態に備えられる記憶部に記憶された情報の一例を示す図。
【図４】本発明に係る生体情報モニタリングシステムにおけるセントラルモニタの実施形態の構成を示すブロック図。
【図５】本発明に係る生体情報モニタリングシステムにおけるセントラルモニタの実施形態に備えられるテーブルに記憶された情報の一例を示す図。
【図６】本発明に係る生体情報モニタリングシステムにおけるセントラルモニタの表示部にて表示される情報の一例を示す図。
【発明を実施するための形態】
【００１６】
以下、添付図面を参照して本発明に係る生体情報モニタリングシステムの実施形態を説明する。各図において同一の構成要素には、同一の符号を付して重複する説明を省略する。図１に、本発明に係る生体情報モニタリングシステムの実施形態の構成図を示す。このシステムにおいては、例えば１階と２階にそれぞれ２台のモニタリング装置であるセントラルモニタ１１、１２、２１、２２が配置されている。これらのセントラルモニタ１１、１２、２１、２２は、ＩＰプロトコルにより通信するネットワークであるＬＡＮ１０に接続されている。
【００１７】
ＬＡＮ１０には、１階に例えば４台の受信機１５−１１〜１５−１４が接続され、２階に例えば４台の受信機１５−２１〜１５−２４が接続されている。更に、患者Ｐ１−１〜Ｐ１−ｎには送信機１−１〜１−ｎが取り付けられており、患者Ｐ２−１〜Ｐ２−ｍには送信機２−１〜２−ｍが取り付けられている。
【００１８】
送信機１−１〜１−ｎ、２−１〜２−ｍは、個別のチャネル情報が割り当てられ、生体から生体情報を収集して送信するものである。患者Ｐ１−１〜Ｐ１−ｎ、Ｐ２−１〜Ｐ２−ｍには生体情報の検出に必要な電極等が張り付けられ、その電極等はそれぞれリード線を介して送信機１−１〜１−ｎ、２−１〜２−ｍに接続されている。生体情報としては、心電図データ、呼吸データ、血圧、ＳｐＯ2、ＣＯ2など各種の情報を収集可能である。
【００１９】
前述の受信機１５−１１〜１５−１４、１５−２１〜１５−２４は、チャネル情報の設定を受けて、設定されたチャネル情報が割り当てられた送信機により収集された生体情報を受信し、この生体情報をネットワークであるＬＡＮ１０を介して出力するものである。また、セントラルモニタ１１、１２、２１、２２は、受信機１５−１１〜１５−１４、１５−２１〜１５−２４から出力された生体情報を受信し、受信した生体情報の波形や数値の表示等の出力を行うものである。
【００２０】
受信機１５−１１〜１５−１４、１５−２１〜１５−２４の構成は同一であり、図２に示す受信機１５の構成を備えている。受信機１５は、送信機から送られる信号を受信する受信部３１を備えており、受信部３１により受信された信号は信号処理部３２へ取り込まれ、所要の処理が行われる。所要の処理とは、基本的にはＬＡＮ１０へ送るためのディジタル化等であるが、セントラルモニタ側の設定によりアラーム設定や不整脈解析等の信号処理を行う処理を有することができる。
【００２１】
受信機１５には、更に、チャネル情報等記憶部３３、検出手段３４、報知手段３５、通信処理部３６、ＬＡＮインタフェース３７が備えられている。チャネル情報等記憶部３３には、この受信機１５が収集管理可能な最大数の送信機数（ここでは８とする）のチャネル情報が、例えばベッドＩＤに対応させられて記憶される。図３に示すチャネル情報等記憶部３３の例においては、自装置用のベッドＩＤがＢｅｄ１からＢｅｄ８までのベッドが割り当てられた患者から生体情報を収集する送信機のチャネル情報とチャネル情報を設定するセントラルモニタのＩＰアドレスが記憶される。最下欄には、自装置のＩＰアドレスが記憶される。
【００２２】
検出手段３４は、他の受信機に設定されたチャネル情報を収集し、同一のチャネル情報の設定を検出するものである。チャネル情報の収集は、例えば所定時間毎に行うことができる。収集された他の受信機のチャネル情報は、図３に示すチャネル情報等記憶部３３の他装置用の記憶エリアにベッドＩＤと共に記憶される。報知手段３５は、検出手段３４により同一のチャネル情報の設定が検出された場合に、重複設定を報知するものであり、チャネル情報等記憶部３３に記憶されている、当該チャネル情報を設定するセントラルモニタのＩＰアドレスを宛先アドレスとして用い、報知を行う。報知手段３５の報知により、後に説明するアラーム発生器４３からアラーム音が発生され、また、表示部４２の画面の該当欄にアラーム表示が行われる。
【００２３】
ＬＡＮインタフェース３７はＬＡＮ１０を介してＩＰプロトコルによる通信を行うものであり、通信処理部３６は、送信するデータのフォーマッティングや受信したデータの分解等の処理を行う。
【００２４】
モニタリング装置であるセントラルモニタ１１、１２、２１、２２は同一の構成であり、図４に示すセントラルモニタ４０の構成を備えている。即ち、コンピュータなどにより構成される本体部４１に、表示部４２、アラーム発生器４３、入力部４４、ＬＡＮインタフェース４５が接続された構成を備えている。表示部４２は、ＬＥＤやＬＣＤなどのディスプレイ装置により構成され、各種の生体情報の波形や数値等が表示される。アラーム発生器４３は、アラーム音を発生するスピーカなどにより構成することができる。
【００２５】
入力部４４は、キーボードやマウスなどのポインティングディバイスなどにより構成することができ、各種のデータやコマンドなどを入力することができる。ＬＡＮインタフェース４５は、ＬＡＮ１０を介してＩＰプロトコルによる通信を行うものである。
【００２６】
本体部４１には、信号処理部５１、表示用設定情報テーブル５２、表示制御部５３、設定手段５４、強制設定手段５５が備えられている。信号処理部５１は、送信するデータのフォーマッティングや受信したデータの分解等の処理を行う。
【００２７】
表示用設定情報テーブル５２は、表示部４２に表示する例えば１６欄（エリア）分の生体情報に関する各種情報が設定されるテーブルである。例えば、図５にように、各欄番号毎に、患者氏名、患者ＩＤ、生体情報を収集する受信機のＩＰアドレス及びBed ID/チャネル情報が記憶されるように構成されている。
【００２８】
表示制御部５３は、表示用設定情報テーブル５２に記憶されたＩＰアドレスの受信機から送られ、ＬＡＮインタフェース４５を介して到来し、信号処理部５１により分離された生体情報に関し、表示用設定情報テーブル５２の記憶内容に基づき、表示部４２における画面の対応する欄に表示を行う。図６（ａ）は、ある一欄に表示された生体情報等の表示例である。生体情報に係る波形や数値と共に、患者氏名２０１、ベッドＩＤ２０２などが表示される。受信機から出力された情報の内容が報知情報か生体情報かについて判定を行い、生体情報の場合、図６（ａ）のように波形や数値を表示する。また、報知の場合、表示部４２の画面の該当欄にチャネル情報が重複している旨のアラーム表示を図６（ｂ）のように行う。
【００２９】
設定手段５４は、モニタリング装置であるセントラルモニタが受信すべき生体情報を収集する送信機のチャネル情報を受信機に設定するものであり、表示用設定情報テーブル５２の欄に生体情報を収集する受信機のＩＰアドレス及びBed ID/チャネル情報を登録することにより、該当受信機への設定が行われる。
【００３０】
強制設定手段５５は、受信機の検出手段３４により同一のチャネル情報の設定が検出された場合に、入力部４４からの操作により設定を有効とするものであり、検出手段３４により同一のチャネル情報の設定が検出された場合に、強制設定手段５５により設定が無効とされるときには、設定手段５４は後発チャネル情報（ここで設定しようとするチャネル情報）の設定を行わず、強制設定手段５５により設定が有効とされた場合には、設定手段５４は後発チャネル情報の設定を行う。即ち、同一のチャネル情報の設定が検出された場合には、表示用設定情報テーブル５２の該当欄に対するチャネル情報の記憶が留保される。
【００３１】
以上の構成において、強制設定手段５５を全てのセントラルモニタに設けるようにしたが、所要のセントラルモニタに設けるようにしても良い。また、チャネル情報に関する重複のモニタリング及び報知を受信機１５において行うようにしたが、これに限定されない。例えば、セントラルモニタにチャネル情報等記憶部３３、検出手段３４及び報知手段３５を有させて、当該機能を設けるようにすることができ、また、パーソナルコンピュータ等のコンピュータにチャネル情報等記憶部３３、検出手段３４及び報知手段３５を備えさせて、これをＬＡＮ１０に接続し、このコンピュータによってチャネル情報に関する重複のモニタリング及び報知を行うようにしても良い。
【００３２】
以上のいずれの構成に係る生体情報モニタリングシステムによっても、受信機に設定されたチャネル情報を収集し、同一のチャネル情報の設定を検出し、同一のチャネル情報の設定が検出された場合に、重複設定を報知するので、チャネル情報の重複設定が生じた場合にこれを検出し、報知することできる。
【符号の説明】
【００３３】
１１、１２、２１、２２、４０  セントラルモニタ
１５-１１〜１５−１４、１５-２１〜１５−２４  受信機
３１  受信部
３２  信号処理部
３３  チャネル情報等記憶部
３４  検出手段
３５  報知手段
３６  通信処理部
３７  ＬＡＮインタフェース
４１  本体部
４２  表示部
４３  アラーム発生器
４４  入力部
４５  ＬＡＮインタフェース
５１  信号処理部
５２  表示用設定情報テーブル
５３  表示制御部
５４  設定手段
５５  強制設定手段
【図１】
0005608135.tif 000002
【図２】
0005608135.tif 000003
【図３】
0005608135.tif 000004
【図４】
0005608135.tif 000005
【図５】
0005608135.tif 000006
【図６】
0005608135.tif 000007